(57)【特許請求の範囲】
【請求項１】
窓枠と、この窓枠内に建て込まれた少なくとも１対の窓障子と、これら両窓障子の閉鎖状態で屋内外方向に重なり合う様に配置された１対の召し合わせ框のうち少なくとも一方の召し合わせ框の上端面と前記窓枠を構成する上枠の下面との間部分に設けられた風止め板とを備えた、風止め板付窓装置であって、
前記風止め板は、下方に向けて垂下し、下端部を前記召し合わせ框の上端部に弾性的に接触させる複数の板状のヒレ部を有しており、
前記風止め板の上面と前記上枠の下面との間に、難燃材製の気密ブロックが設けられており、
加熱により発泡する加熱発泡材が、前記風止め板の下面に開口する状態で形成された、下端開口部の幅寸法がこの下端開口部よりも上方に位置する奥部の幅寸法よりも小さい係止凹溝内に係止された状態で、前記風止め板の下面に設けられている事を特徴とする風止め板付窓装置。
【請求項２】
前記上枠の下面には、前記１対の窓障子のそれぞれの上端部を案内する為の１対の上部案内レールが屋内外方向に離隔して設けられていると共に、前記１対の上部案内レール同士の間に固定用溝が設けられており、
前記固定用溝の開口部には、屋内外方向に互いに近づく様に突出した１対の係止片が設けられており、
前記気密ブロックは、前記風止め板の上面と前記上枠の下面との間に２個設けられており、２個の気密ブロックのうち、一方の気密ブロックは、他方の気密ブロックよりも、高さ寸法が大きくかつ屋内外方向に関する幅寸法が小さくなっており、前記一方の気密ブロックは、前記風止め板の上面と前記固定用溝の底面との間に挟持されており、前記他方の気密ブロックは、前記風止め板の上面と前記１対の係止片との間に挟持されている、
請求項１に記載した風止め板付窓装置。
【請求項３】
前記風止め板の下面に設けられた加熱発泡材の屋内側端部は、前記１対の窓障子のうち、屋内側に配置された一方の窓障子を構成する上框の屋外側に、水平方向に配置された状態で固定された加熱発泡材よりも屋内側に位置しており、
前記風止め板の下面に設けられた加熱発泡材の屋外側端部は、前記１対の窓障子のうち、屋外側に配置された他方の窓障子を構成する上框の屋内側に、水平方向に配置された状態で固定された加熱発泡材よりも屋外側に位置しており、
前記召し合わせ框に、上下方向に配置された状態で固定された加熱発泡材は、屋内外方向に関して、前記一方の窓障子を構成する上框の屋外側に固定された加熱発泡材と、前記他方の窓障子を構成する上框の屋内側に固定された加熱発泡材との間部分に位置している、
請求項１〜２のうちの何れか１項に記載した風止め板付窓装置。
【請求項４】
前記風止め板の下面には、複数の加熱発泡材が設けられており、これら複数の加熱発泡材が、前記窓枠の幅方向に離隔した状態で屋内外方向に配置されており、これら複数の加熱発泡材のうち、少なくとも１つの加熱発泡材が、前記窓枠の幅方向に関して前記召し合わせ框と整合する位置に設けられており、かつ、前記窓枠の幅方向に関して両側に配置された１対の加熱発泡材のそれぞれは、前記窓枠の幅方向に関して、前記召し合わせ框よりも、前記窓枠を構成する１対の竪枠側に突出している、
請求項１〜３のうちの何れか１項に記載した風止め板付窓装置。
【発明の詳細な説明】
【技術分野】
【０００１】
本発明は、窓枠を構成する上枠と、この窓枠内に引き違い式に建て込まれた１対の窓障子の召し合わせ部との間部分に風止め板が設けられた、風止め板付窓装置の改良に関し、火災発生時に於ける防火性能を向上できる構造を実現する事を目的とする。
【背景技術】
【０００２】
建物躯体の開口部には、採光や換気等を目的として、窓装置を設ける事が行われている（例えば特許文献１参照）。図１４は、この様な窓装置の従来構造の１例を示している。この窓装置１は、建物躯体の開口部に固定された窓枠２と、この窓枠２の内側に、水平移動自在に且つ引き違い式に建て込まれた、１対のガラス障子３ａ、３ｂとから構成されている。
【０００３】
このうちの窓枠２は、水平方向に配置されて上辺を構成する上枠４と、同じく水平方向に配置されて下辺を構成する下枠５と、鉛直方向に配置されて左右の縦辺を構成する１対の竪枠６、６とから成り、これら各枠４〜６のそれぞれの端部を連結する事により矩形枠状に構成されている。
【０００４】
前記各ガラス障子３ａ、３ｂは、矩形枠状の框枠体７ａ、７ｂの内側に、ガラスパネル８ａ、８ｂを嵌め込む事により構成されている。これら框枠体７ａ、７ｂは、それぞれがアルミニウム合金の一体押し出し型材製であり、上辺を構成する上框９ａ、９ｂと、下辺を構成する下框１０ａ、１０ｂと、左右の縦辺を構成する竪框である、召し合わせ框１１ａ、１１ｂ及び戸先框１２ａ、１２ｂとのそれぞれの端部を連結する事により、矩形枠状に構成されている。
【０００５】
又、図１４に示した様に、前記両ガラス障子３ａ、３ｂを閉鎖位置に移動させた状態で、屋内外方向に重なり合う前記両召し合わせ框１１ａ、１１ｂの上端面と、前記上枠４の中央部下面との間部分には、合成樹脂製の風止め板１３が設けられている。これにより、前記両召し合わせ框１１ａ、１１ｂの上端面と前記上枠４の中央部下面との間部分の隙間を塞ぎ、気密性を確保する様にしている。
【０００６】
但し、前記両召し合わせ框１１ａ、１１ｂの上端面と前記上枠４の中央部下面との間部分に、上述した様な風止め板１３を設ける場合、何らかの対策を施さないと、次の様な問題を生じる可能性がある。
例えば建物内で火災が発生し、前記窓装置１が炎又は輻射熱に曝らされると、合成樹脂製品である前記風止め板１３が熱によって溶融し、前記両召し合わせ框１１ａ、１１ｂの上端面と前記上枠４の中央部下面との間部分に隙間を生じさせる可能性がある。この結果、当該隙間を通じて、炎や熱が室内外を貫通する可能性がある。
【先行技術文献】
【特許文献】
【０００７】
【特許文献１】特開２００８−２９１６４３号公報
【発明の概要】
【発明が解決しようとする課題】
【０００８】
本発明は、上述の様な事情に鑑みて、火災発生時にも、上枠の下面と１対の召し合わせ框の上端面との間に隙間が生じる事を防止し、防火性能の向上を図れる、風止め板付窓装置を実現すべく発明したものである。
【課題を解決するための手段】
【０００９】
本発明の風止め板付窓装置は、窓枠と、少なくとも１対の窓障子と、風止め板とを備える。
このうちの窓枠は、窓開口に設けられる。
前記両窓障子は、前記窓枠内に建て込まれている。
前記風止め板は、前記両窓障子の閉鎖状態で屋内外方向（見込方向）に重なり合うこれら両窓障子を構成する１対の召し合わせ框のうち、少なくとも一方の召し合わせ框の上端面と、前記窓枠を構成する上枠の下面との間部分の隙間を塞ぐものである。
【００１０】
特に本発明の風止め板付窓装置の場合には、前記風止め板が、下方に向けて垂下し、下端部を前記召し合わせ框の上端部に弾性的に接触させた複数の板状のヒレ部を有している。
又、前記風止め板の上面と前記上枠の下面との間には、難燃材製（例えばクロロプレンゴム製）の気密ブロックを１乃至複数個設けている。
更に、本発明の風止め板付窓装置では、加熱により発泡する加熱発泡材を、前記風止め板の下面に開口する状態で形成された、下端開口部の幅寸法がこの下端開口部よりも上方に位置する奥部の幅寸法よりも小さい係止凹溝内に、下方への脱落を防止して係止した状態で、前記風止め板の下面に１乃至複数設けている。
この様な加熱発泡材としては、例えば加熱により少なくとも板厚方向に発泡（膨張）する帯状（板状、シート状）のものを使用する事ができ、板厚方向（膨張の向き）を上下方向に一致させた状態で、前記風止め板の下面に支持固定する事ができる。
尚、本発明は、前記１対の窓障子を、前記窓枠内に水平移動自在に且つ引き違い式に建て込んだ、引違い式の窓装置が対象になるだけでなく、前記窓枠内に建て込まれる前記１対の窓障子のうち、一方の窓障子が水平移動自在であり、他方の窓障子が水平移動不能である（窓枠に固定された）、片引き（内動、外動）式の窓装置も対象になる。又、引き違い式の窓装置を対象にする場合には、前記風止め板を、引違い式に建て込まれた１対の窓障子を構成する１対の召し合わせ框の上方に配置するのに対し、片引き式の窓装置を対象にする場合には、前記風止め板を、水平移動自在に建て込まれた一方の窓障子を構成する召し合わせ框の上方に配置する。
【００１１】
この様な本発明の風止め板付窓装置を実施する場合には、例えば請求項２に記載した発明の様に、前記上枠の下面に、前記１対の窓障子のそれぞれの上端部を案内する為の１対の上部案内レールを屋内外方向に離隔して設けると共に、前記１対の上部案内レール同士の間に固定用溝を設け、該固定用溝の開口部には、屋内外方向に互いに近づく様に突出した１対の係止片を設ける事ができる。
又、前記気密ブロックを、前記風止め板の上面と前記上枠の下面との間に２個設け、２個の気密ブロックのうち、一方の気密ブロックを、他方の気密ブロックよりも、高さ寸法が大きくかつ屋内外方向に関する幅寸法が小さいものとし、前記一方の気密ブロックを、前記風止め板の上面と前記固定用溝の底面との間に挟持し、前記他方の気密ブロックを、前記風止め板の上面と前記１対の係止片との間に挟持する事ができる。
【００１２】
又、本発明を実施する場合には、例えば請求項３に記載した発明の様に、前記風止め板の下面に設けられた加熱発泡材の屋内側端部を、前記１対の窓障子のうち、屋内側に配置された一方の窓障子を構成する上框の屋外側に、水平方向に配置された状態で固定された加熱発泡材よりも屋内側に位置させると共に、前記風止め板の下面に設けられた加熱発泡材の屋外側端部を、前記１対の窓障子のうち、屋外側に配置された他方の窓障子を構成する上框の屋内側に、水平方向に配置された状態で固定された加熱発泡材よりも屋外側に位置させる事ができる。更に、前記召し合わせ框に、上下方向に配置された状態で固定された加熱発泡材を、屋内外方向に関して、前記一方の窓障子を構成する上框の屋外側に固定された加熱発泡材と、前記他方の窓障子を構成する上框の屋内側に固定された加熱発泡材との間部分に位置させる事ができる。
【００１３】
又、本発明を実施する場合には、例えば請求項４に記載した発明の様に、前記風止め板の下面に設ける複数の加熱発泡材を、例えば帯状に構成し、前記窓枠の幅方向（見付方向）に離隔した状態で、屋内外方向に配置する事ができる。そして更に、前記複数の加熱発泡材のうち、少なくとも１つ以上の加熱発泡材を、前記窓枠の幅方向に関して前記召し合わせ框と整合する（上下方向に関して召し合わせ框と重畳する）位置に設け、かつ、前記窓枠の幅方向に関して両側に配置された１対の加熱発泡材のそれぞれを、前記窓枠の幅方向に関して、前記召し合わせ框よりも、前記窓枠を構成する１対の竪枠側に突出させる事ができる。
【発明の効果】
【００１４】
以上の様な構成を有する本発明の風止め板付窓装置によれば、火災発生時にも、上枠の下面と召し合わせ框の上端面との間に隙間が生じる事を防止でき、防火性能の向上を図れる。
即ち、本発明の場合には、火災発生時に、風止め板の下面に設けた加熱発泡材が発泡する事で、上枠の下面と召し合わせ框の上端面との間の隙間を塞ぐ事ができる。特に本発明の場合には、前記加熱発泡材を前記風止め板の下面に設けている為、この加熱発泡材の表面（特に下面）が露出した状態となり、熱や炎を素早く感知して、前記加熱発泡材を発泡させ易くする事ができる。又、発泡した加熱発泡材により、前記風止め板及びその上方に設けた気密ブロックの周囲を覆う事もできる為、前記風止め板及び気密ブロックが熱により溶融しにくくする事ができる。この様に、本発明によれば、窓装置の防火性能の向上を図れる。
又、前記加熱発泡材を前記風止め板の下面に設けている為、この風止め板に前記加熱発泡材が取り付けられているか否かを、目視により容易に確認できる。この為、加熱発泡材の取り付けミスを有効に防止できる。又、前記風止め板に対し、前記加熱発泡材を事後的に取り付ける事もできる。
【００１５】
又、本発明によれば、例えば加熱発泡材を接着剤のみで固定した場合とは異なり、この加熱発泡材が発泡するよりも先に（例えば１２０℃程度で）、この接着剤が溶解した場合でも、前記加熱発泡材が前記風止め板から脱落する事を有効に防止できる。
又、本発明によれば、発泡した加熱発泡材により、前記風止め板だけでなく、前記気密ブロックの周囲を覆う事ができる。この気密ブロックは、難燃材製である為、発泡した加熱発泡材の内部で隙間を物理的に埋めた状態にできる。従って、発泡した加熱発泡材を炎が通過しにくくできる。
又、前記召し合わせ框に生じる上下方向の熱伸びを利用して、溶融しにくい前記気密ブロックを前記上枠の下面に押し付ける事ができる為、前記上枠の下面と前記召し合わせ框の上端面との間に隙間が生じる事を効果的に防止する事もできる。
更に、請求項４に記載した発明によれば、前記加熱発泡材を屋内外方向に配置している為、この加熱発泡材（の屋内外方向端部）に熱が伝わる条件と、上框や召し合わせ框等に別途設けた加熱発泡材に熱が伝わる条件とを、ほぼ同じにする事ができる。この為、前記風止め板の下面に設けた加熱発泡材と、前記上框や前記召し合わせ框等に別途設けた加熱発泡材との間で、発泡のタイミングを合わせる事ができる。従って、発泡のタイミングがずれる事により、前記各加熱発泡材同士の間に炎を通過させる隙間が生じる事を有効に防止できる。
【図面の簡単な説明】
【００１６】
【図１】本発明の実施の形態の第１例の窓装置を屋内側から見た状態で示す模式図。
【図２】同じく一部の部材を省略して示す縦断面図。
【図３】同じく横断面図。
【図４】同じく図２の上部拡大部。
【図５】同じく風止め板及び気密ブロックの取付構造を示す、図１のＡ部に相当する部分の拡大正面図。
【図６】同じく図５の上方から見た図。
【図７】同じく図５の下方から見た図。
【図８】同じく風止め板及び気密ブロックを取り出して示す平面図（Ａ）及び正面図（Ｂ）。
【図９】同じく図８（Ｂ）のＢ部拡大図。
【図１０】同じく風止め板を構成する風止め板本体を取り出して示す正面図（Ａ）、底面図（Ｂ）、及び、左側面図（Ｃ）。
【図１１】同じく風止め板を構成する固定片を取り出して示す正面図（Ａ）、平面図（Ｂ）、底面図（Ｃ）、及び、左側面図（Ｄ）。
【図１２】本発明の実施の形態の第２例を示す、図５に相当する図。
【図１３】同じく図７に相当する図。
【図１４】従来構造の窓装置を屋内側から見た状態で示す模式図。
【発明を実施するための形態】
【００１７】
［実施の形態の第１例］
図１〜１１は、本発明の実施の形態の第１例を示している。本例の窓装置（引戸装置）１ａは、窓枠２ａの内側に、それぞれが特許請求の範囲に記載した窓障子である１対のガラス障子３ｃ、３ｄを、水平方向（図１の左右方向）への移動自在に且つ引き違い式に建て込んでいる。
【００１８】
このうちの窓枠２ａは、上辺を構成する上枠４ａと、下辺を構成する下枠５ａと、左右の縦辺を構成する竪枠６ａ、６ｂとにより、矩形に構成している。これら各枠４ａ、５ａ、６ａ、６ｂは、それぞれアルミニウム合金の一体押し出し成型材製である。
【００１９】
図２、３に示した様に、前記各ガラス障子３ｃ、３ｄは、矩形枠状の框枠体７ｃ、７ｄと、これら各框枠体７ｃ、７ｄの内側に嵌め込まれたガラスパネル８ｃ、８ｄとから成る。前記框枠体７ｃ、７ｄは、それぞれの上辺を構成する上框９ｃ、９ｄと、同じく下辺を構成する下框１０ｃ、１０ｄと、それぞれが左右の縦辺を構成する竪框である、召し合わせ框１１ｃ、１１ｄ及び戸先框１２ｃ、１２ｄとにより、前記各ガラスパネル８ｃ、８ｄの四辺を囲んで成る。これら各框９ｃ、９ｄ、１０ｃ、１０ｄ、１１ｃ、１１ｄ、１２ｃ、１２ｄも、アルミニウム合金の一体押し出し成型材製である。このうちの召し合わせ框１１ｃ、１１ｄは、前記ガラス障子３ｃ、３ｄの閉鎖時に前記窓枠２ａの幅方向（見付方向）中央に位置して、屋内外方向に重なり合う。これに対し、前記各戸先框１２ｃ、１２ｄは、前記ガラス障子３ｃ、３ｄの閉鎖時に前記窓枠２ａの幅方向端部に位置して、前記各竪枠６ａ、６ｂに突き合わされる。
【００２０】
前記各ガラスパネル８ｃ、８ｄは、それぞれ複層ガラスであり、スペーサ１８を介して屋内外方向（見込方向）に所定の間隔を隔てて互いに平行に配置された２枚のガラス板１９ａ、１９ｂと、これら両ガラス板１９ａ、１９ｂ同士の間の中間層２０と、この中間層２０の周縁部（スペーサ１８の周囲）を密封する封着材２１とから構成されている。図示の例では、前記両ガラス板１９ａ、１９ｂのうち、屋外側に配置されたガラス板１９ａを、防火性能に優れた網入りガラスとしている。
【００２１】
前記各ガラスパネル８ｃ、８ｄの上辺（上縁部）、下辺（下縁部）、及び、側辺（側縁部）は、前記框枠体７ｃ、７ｄを構成する上框９ｃ、９ｄ、下框１０ｃ、１０ｄ、召し合わせ框１１ｃ、１１ｄ、及び、戸先框１２ｃ、１２ｄにそれぞれ設けられたガラス溝２２ａ〜２２ｄ内にそれぞれ挿入されている。又、前記各ガラスパネル８ｃ、８ｄの下辺は、セッティングブロック２３を介して、前記下框１０ｃ、１０ｄに設けられたガラス溝２２ｂ、２２ｂの溝底板部２４、２４に突き当てられており、前記ガラスパネル８ｃ、８ｄの側辺と、前記戸先框１２ｃ、１２ｄに設けられたガラス溝２２ｄ、２２ｄの溝底板部２４ａ、２４ａとの間には、それぞれスペーサブロック２５、２５が嵌装されている。又、前記各ガラスパネル８ｃ、８ｄの外周縁寄り部分の屋内外方向両側面と、前記各ガラス溝２２ａ〜２２ｄの開口部との間部分を、屋外側シール材２６ａと屋内側シール材２６ｂとで、それぞれ全周に亙りシールしている。尚、この様な屋外側、屋内側シール材２６ａ、２６ｂに代えて、グレイジングチャンネルを使用する事もできる。
【００２２】
又、図２、４に示す様に、前記窓枠２ａを構成する上枠４ａの下面には、１対の上部案内レール２７ａ、２７ｂが、屋内外方向に離隔した状態で設けられている。そして、前記各召し合わせ框１１ｃ、１１ｄ及び戸先框１２ｃ、１２ｄの上端部に支持したガイドブロック２８ａ、２８ｂに形成したガイド溝２９ａ、２９ｂに、前記各上部案内レール２７ａ、２７ｂを係合させている。又、これら各上部案内レール２７ａ、２７ｂの先端部を、前記各上框９ｃ、９ｄの上面に開口した案内溝３０ａ、３０ｂ内に進入させている。そして、これら各案内溝３０ａ、３０ｂの開口部の両側部分に設けられた上框係止溝３１ａ、３１ｂ内に係止した上框気密材（シール材）３２ａ、３２ｂを、前記各上部案内レール２７ａ、２７ｂに当接させている。この構成により、前記各ガラス障子３ｃ、３ｄの上端部を、前記上枠４ａに沿った水平移動を自在に支持している。
【００２３】
これに対して、前記下枠５ａの上面には、１対の下部案内レール３３ａ、３３ｂを、屋内外方向に離隔した状態で設けている。そして、前記各ガラス障子３ｃ、３ｄの下辺を構成する前記下框１０ｃ、１０ｄの両端部近傍部分に設けられた戸車３４ａ、３４ｂを、前記下部案内レール３３ａ、３３ｂに係合させている。これにより、前記各ガラス障子３ｃ、３ｄを、前記下枠５ａの上方位置に、この下枠５ａに沿った水平移動を自在に支持している。
以上の構成により、前記各ガラス障子３ｃ、３ｄを、前記窓枠２ａの内側に、水平移動自在に且つ引違い式に建て込んでいる。
【００２４】
又、図３に示した様に、内障子である前記ガラス障子３ｃを構成する召し合わせ框１１ｃの屋外側面には、断面略Ｌ字形の煙返し部３５ａが上下方向に亙り設けられている。又、外障子である前記ガラス障子３ｄを構成する召し合わせ框１１ｄの屋内側面には、断面略Ｌ字形の煙返し部３５ｂが上下方向に亙り設けられている。そして、前記両ガラス障子３ｃ、３ｄを閉鎖位置に移動させた状態で、前記両煙返し部３５ａ、３５ｂの先端部同士を互いに当接させる様にしている。
【００２５】
又、前記召し合わせ框１１ｃの屋外側面には、上下方向に亙り召し合わせ気密材１４が設けられている。そして、この召し合わせ気密材１４を、前記両ガラス障子３ｃ、３ｄを閉鎖位置に移動させた状態で、屋外側に位置する前記召し合わせ框１１ｄの屋内側面に当接させている。
【００２６】
又、前記各竪枠６ａ、６ｂに設けられた竪枠係止溝３６ａ、３６ｂ内に、竪枠気密材１５ａ、１５ｂをそれぞれ支持している。そして、前記両ガラス障子３ｃ、３ｄを閉鎖位置に移動させた状態で、これら各竪枠気密材１５ａ、１５ｂを、前記各戸先框１２ｃ、１２ｄの屋内側面にそれぞれ当接させている。
【００２７】
又、前記下枠５ａに設けられた下枠係止溝３７ａ、３７ｂ内に、下枠気密材１６ａ、１６ｂをそれぞれ支持している。そして、前記両ガラス障子３ｃ、３ｄを閉鎖位置に移動させた状態で、これら各下枠気密材１６ａ、１６ｂを、前記各下框１０ｃ、１０ｄの屋内側面にそれぞれ当接させている。尚、前記各下枠気密材１６ａ、１６ｂは、前記下枠５ａの全長に亙り設けられているのではなく、閉鎖状態で、前記各下框１０ｃ、１０ｄとそれぞれ対向する部分（片半部）にのみ設けられている。
【００２８】
更に本例の場合には、図１、４等に示した様に、前記上枠４ａの下面のうちで、屋内外方向に関して前記１対の上部案内レール２７ａ、２７ｂ同士の間部分で、且つ、前記窓枠２ａの幅方向に関する中央位置に、風止め板１３ａを設けている。これにより、前記両ガラス障子３ｃ、３ｄを閉鎖位置に移動させた状態で、屋内外方向に重なり合う前記両召し合わせ框１１ｃ、１１ｄの上端面と前記上枠４ａの下面との間部分の隙間を、前記風止め板１３ａにより塞いでいる。
【００２９】
本例の場合には、以上の様な構成により、前記窓枠２ａと前記両ガラス障子３ｃ、３ｄとの間部分、および、これら両ガラス障子３ｃ、３ｄ同士の間部分をそれぞれ塞ぎ、前記窓装置１ａの閉鎖状態に於ける気密性を確保している。
【００３０】
次に、図５〜図１１を適宜参照しつつ、前記風止め板１３ａの構成を説明すると共に、本例の特徴部分に就いて詳しく説明する。
前記風止め板１３ａは、前記両ガラス障子３ｃ、３ｄを閉鎖位置に移動させた状態で、屋内外方向に重なり合う前記両召し合わせ框１１ｃ、１１ｄの上端面と前記上枠４ａの下面との間部分の隙間を塞ぐ為の風止め板本体３８と、この風止め板本体３８を前記上枠４ａに支持固定する為の１対の固定片３９、３９とから構成されている。図５、６に示した様に、前記風止め板本体３８は、その長手方向を前記窓枠２ａの幅方向に一致させた状態で、屋内外方向に重ね合わされた前記両召し合わせ框１１ｃ、１１ｄの上方に、これら両召し合わせ框１１ｃ、１１ｄを跨ぐ様にして配置されている。そして、この様に配置された前記風止め板本体３８を、前記窓枠２ａの幅方向に関して前記両召し合わせ框１１ｃ、１１ｄを両側から挟む位置に設けられた前記両固定片３９、３９により、前記上枠４ａの下面に対し支持固定している。
【００３１】
前記風止め板本体３８は、図１０に示した様に、ポリプロピレン等の合成樹脂製の基部４０と、ゴム、ビニール等のエラストマー（弾性材）製の気密部４１とから構成されている。このうちの基部４０は、矩形板状の支持板部４２と、前記風止め板本体３８の長手方向両側に設けられた１対の傾斜板部４３、４３と、これら両傾斜板部４３、４３の上端部から前記風止め板本体３８の長手方向両側に張り出す状態で設けられた１対の張出部４４、４４とを備えている。又、これら両張出部４４、４４には、それぞれ上下方向に貫通した通孔４５、４５が形成されている。又、前記支持板部４２と前記両張出部４４、４４とは、互いに平行に且つ上下方向にオフセットした状態で設けられており、前記両傾斜板部４３、４３は、前記支持板部４２から離れる程上方に向かう方向に傾斜している。
【００３２】
前記気密部４１は、前記窓枠２ａの幅方向に互いに離隔した状態で配置された複数（本例の場合には４個）の気密片４６ａ、４６ｂから構成されており、前記基部４０を構成する支持板部４２の下面に固定されている。前記各気密片４６ａ、４６ｂはそれぞれ、断面櫛歯状（断面コ字形状）に構成されており、前記支持板部４２の下面に固定された底部４７ａ、４７ｂと、この底部４７ａ、４７ｂからそれぞれ下方に垂下する状態で設けられた板状のヒレ部４８ａ、４８ｂとを備えている。これら各ヒレ部４８ａ、４８ｂは、前記窓枠２ａの幅方向に所定の隙間を介して互いに平行に配置されており、前記両召し合わせ框１１ｃ、１１ｄの上端部に対し、弾性変形した状態（窓枠２ａの幅方向に折れ曲がった状態）で接触する。又、本例の場合には、前記各ヒレ部４８ａ、４８ｂの屋内外方向一部に不連続部を有するものを使用し、これによりこれら各ヒレ部４８ａ、４８ｂの弾性変形量を確保している。
【００３３】
特に本例の場合には、前記風止め板本体３８を構成する支持板部４２の下面に、上述した様な気密部４１（気密片４６ａ、４６ｂ）だけでなく、複数（本例の場合には３つ）の加熱発泡材４９、４９を支持固定している。本例に使用する加熱発泡材４９、４９は、厚さが数ミリ程度の帯状（板状、シート状）で、加熱により少なくとも板厚方向に発泡（膨張）し、耐火性を有するものであれば足り、例えば積水化学工業株式会社製の商品名「フィブロック」を使用できる。尚、「フィブロック」は、発泡開始温度が２００℃程度であり、板厚はその種類（ブチル系、エポキシ系など）に応じて５〜４０倍程度にまで厚くなる。尚、前記各加熱発泡材４９、４９及び後述する加熱発泡材４９ａ〜４９ｄに就いては、各図面中に破線状の斜線模様を付している。
【００３４】
本例の場合には、この様な構成を有する加熱発泡材４９、４９を、前記窓枠２ａの幅方向に関して互いに隣接する状態で配置された気密片４６ａ、４６ｂ同士の間部分に、それぞれの長手方向を屋内外方向に一致させた状態で配置している。具体的には、本例では、４個の気密片４６ａ、４６ｂのうち、幅寸法（窓枠２ａの幅方向に関する寸法）の大きい２個の気密片４６ａ、４６ａを、前記支持板部４２の下面のうちの中央寄り部分に配置しており、幅寸法の小さい残り２個の気密片４６ｂ、４６ｂを、前記支持板部４２の下面のうちの両端部に配置している。この為、中央寄り部分に配置された１対の気密片４６ａ、４６ａ同士の間部分（支持板部４２の中央部に相当）に、１本の加熱発泡材４９を屋内外方向に向けて配置すると共に、中央寄り部分の気密片４６ａと端部の気密片４６ｂとの間部分に、それぞれ１本ずつ合計２本の加熱発泡材４９、４９を屋内外方向に向けて配置している。
【００３５】
又、図５、６に示した様に、前記両気密片４６ａ、４６ａ同士の間部分（幅方向中央）に配置された前記加熱発泡材４９が、前記窓枠２ａの幅方向に関して前記両召し合わせ框１１ｃ、１１ｄと整合する範囲内に位置している。これに対し、前記両気密片４６ａ、４６ｂ同士の間部分（幅方向両側）に配置された１対の加熱発泡材４９、４９は、前記窓枠２ａの幅方向に関して前記両召し合わせ框１１ｃ、１１ｄを両側から挟む位置に位置している。別な言い方をすれば、前記各加熱発泡材４９、４９のうち、前記両気密片４６ａ、４６ａ同士の間部分に配置された前記加熱発泡材４９のみが、上下方向に関して前記両召し合わせ框１１ｃ、１１ｄと重畳する位置に固定されている。
【００３６】
又、前記各加熱発泡材４９、４９を上述した位置に支持固定する為に、前記支持板部４２の下面のうち、前記１対の気密片４６ａ、４６ａ同士の間部分、及び、前記気密片４６ａと前記気密片４６ｂとの間部分に、それぞれ係止凹溝５０、５０を形成している。これら各係止凹溝５０、５０は、屋内外方向（風止め板本体３８の短手方向）に伸長する状態で形成されており、前記支持板部４２の下面及び屋内外方向両端面にそれぞれ開口している。又、図９に示した様に、前記各係止凹溝５０、５０は、断面略Ｔ字形に構成されている。この為、これら各係止凹溝５０、５０の下端開口部の幅寸法Ｗａは、この下端開口部よりも上方に位置する奥部の幅寸法Ｗｂよりも小さくなっている（Ｗａ＜Ｗｂ）。又、前記下端開口部の幅寸法Ｗａは、前記各加熱発泡材４９、４９の幅寸法Ｄよりも十分に小さいのに対し（Ｗａ＜Ｄ）、前記奥部の幅寸法Ｗｂは、前記各加熱発泡材４９、４９の幅寸法Ｄと同じかこれよりも僅かに大きい（Ｗｂ≧Ｄ）。そして、本例の場合には、前記各加熱発泡材４９、４９を、前記各係止凹溝５０、５０内に、屋内外方向にスライドさせる事で下方への脱落を防止した状態で係止している。又、前記各加熱発泡材４９、４９の上面を前記各係止凹溝５０、５０の底面に対して、接着剤を用いて接着固定している。この様にして、前記各加熱発泡材４９、４９を前記支持板部４２の下面に支持固定した状態で、これら各加熱発泡材４９、４９の板厚方向は上下方向に一致している。又、これら各加熱発泡材４９、４９は、互いに隣接した状態で配置された前記各気密片４６ａ、４６ｂの間部分からそれぞれ露出している。
【００３７】
上述した様な構成を有する前記風止め板本体３８を、前記上枠４ａの下面に固定する為に使用する前記各固定片３９、３９は、ポリアミド樹脂等の合成樹脂製であり、図４に示した様に、前記上枠４ａの下面のうち、前記１対の上部案内レール２７ａ、２７ｂ同士の間部分に形成された固定用溝５１に係止されている。具体的には、この固定用溝５１の開口部（下端部）に、互いに近づく方向に突出する状態で設けられた１対の係止片５２、５２を、前記各固定片３９、３９の屋内外方向両端面の中間部に設けられた１対の凹溝５３、５３内に係合（進入）させる事で、前記各固定片３９、３９を前記上枠４ａに対し下方への脱落を防止した状態で支持している。又、図１１に示した様に、前記各固定片３９、３９の上面には、前記窓枠２ａの幅方向に伸長した係合溝５４、５４が設けられている。又、前記各固定片３９、３９のうちで、前記各係合溝５４、５４の長さ方向中間部と整合する部分に、上下方向に貫通するねじ孔５５、５５が設けられている。
【００３８】
上述した様な構成を有する前記各固定片３９、３９により、前記風止め板本体３８を前記上枠４ａに支持固定するには、これら各固定片３９、３９を、予め前記風止め板本体３８に、前記窓枠２ａの幅方向に関して両側から挟む様にスライドさせる。これにより、これら各固定片３９、３９に設けられた係合溝５４、５４に、前記張出部４４、４４を係合（凹凸係合）させる。この状態で、前記各通孔４５、４５と前記各ねじ孔５５、５５とが整合する。次いで、これら通孔４５、４５及びねじ孔５５、５５に、それぞれ下方から固定用ねじ５６、５６を螺合する。そして、前記風止め板本体３８と前記各固定片３９、３９とを前記固定用溝５１に係合（上枠４ａの部材端部からスライド）させて所定位置（召し合わせ框１１ｃ、１１ｄの上方位置）に配置した状態で、前記各固定用ねじ５６、５６の先端面を、前記上枠４ａの下面に対して押し付ける事により、前記風止め板１３ａをこの上枠４ａに対し位置決めを図った状態で支持固定する。この様な固定用ねじ５６による支持固定作業は、前記両ガラス障子３ｃ、３ｄを前記窓枠２ａ内に建て込み、建て付け調整を終えた後に行う事が望ましい。
【００３９】
又、図４、５等に示した様に、前記風止め板１３ａの上面と前記上枠４ａの下面との間に、２個の気密ブロック５７ａ、５７ｂを挟持している。これら気密ブロック５７ａ、５７ｂは、それぞれクロロプレンゴム製などの難燃材製で、スポンジ状（多孔質状）に構成されている。尚、前記各気密ブロック５７ａ、５７ｂは、各図面中に梨子地模様で表している。又、これら各気密ブロック５７ａ、５７ｂは、通常時には、気密及び水密性を確保する機能を発揮する。
【００４０】
前記両気密ブロック５７ａ、５７ｂのうち、一方の気密ブロック５７ａは、前記風止め板１３ａを構成する支持板部４２の上面と、前記固定用溝５１の底面との間に挟持される様に設けられている。これに対し、他方の気密ブロック５７ｂは、前記風止め板１３ａを構成する支持板部４２の上面と、前記１対の係止片５２、５２の下面との間に挟持される様に設けられている。この為、前記一方の気密ブロック５７ａの上下方向寸法は、前記他方の気密ブロック５７ｂの上下方向寸法よりも大きくなっている。又、前記一方の気密ブロック５７ａの幅寸法（屋内外方向に関する寸法）は、前記他方の気密ブロック５７ｂの幅寸法よりも小さくなっている。本例の場合には、この様な２つの気密ブロック５７ａ、５７ｂを、前記窓枠２ａの幅方向に関して隣接配置した状態で、前記支持板部４２の上面に接着剤により接着固定している。尚、前記両気密ブロック５７ａ、５７ｂの組み合わせによって、前記支持板部４２の上面と前記固定用溝５１の底面との間の空間を可能な限り埋める（塞ぐ）と共に、前記風止め板１３ａを前記固定用溝５１内をスライド移動させる際に発生する抵抗を少なくして、各性能の確保と作業性とを両立させている。
【００４１】
本例の場合、前記窓装置１ａの防火性能を確保する為、前記風止め板１３ａの下面に加熱発泡材４９、４９を支持固定するだけでなく、その他の部分にも、複数の加熱発泡材を支持固定している。
具体的には、内障子である前記ガラス障子３ｃを構成する召し合わせ框１１ｃの屋外側面のうちで、前記煙返し部３５ａと前記召し合わせ気密材１４を設けた部分との間部分に、帯状（板状）の加熱発泡材４９ａを、前記召し合わせ框１１ｃの全長（上端部から下端部）に亙って固定している。
【００４２】
又、前記各上框９ｃ、９ｄの上端部に設けられた上框係止溝３１ａ、３１ｂのうち、前記各上框気密材３２ａ、３２ｂの裏側に、それぞれが帯状（板状）の加熱発泡材４９ｂ、４９ｂを、前記各上框９ｃ、９ｄの全長に亙って固定している。
【００４３】
又、前記各竪枠６ａ、６ｂに設けられた竪枠係止溝３６ａ、３６ｂのうち、前記各竪枠気密材１５ａ、１５ｂの裏側に、それぞれが帯状（板状）の加熱発泡材４９ｃ、４９ｃを、前記各竪枠６ａ、６ｂの全長に亙って固定している。
【００４４】
又、前記下枠５ａのうちで、外障子である前記ガラス障子３ｄを構成する下框１０ｄの屋内側面に当接する下枠気密材１６ｂを保持した下枠係止溝３７ｂ内（のうち下枠気密材１６ｂの裏側）に、板状（帯状）の加熱発泡材４９ｄを、前記下枠気密材１６ｂと同じ前記下枠５ａの半部に亙る範囲に固定している。又、前記下枠５ａのうち、内障子である前記ガラス障子３ｃを構成する下框１０ｃの屋内側面に当接する下枠気密材１６ａを保持した下枠係止溝３７ａの下方位置で、且つ、前記窓枠２ａの幅方向に関して片方の竪枠６ａ側の端部に、板状の加熱発泡材４９ｅを固定している。更に、内障子である前記ガラス障子３ｃを構成する下框１０ｃの下辺に、板状（帯状）の加熱発泡材４９ｆを、前記下框１０ｃの全長に亙って固定している。
【００４５】
そして、本例の場合、上述の様に固定された前記各加熱発泡材４９〜４９ｆの、前記窓装置１ａの閉鎖状態に於ける相互の位置関係を、次の様に規制している。
先ず、図５に示した様に、前記風止め板１３ａの下面に固定された加熱発泡材４９、４９のうち、前記窓枠２ａの幅方向に関して中央に固定された加熱発泡材４９と、前記召し合わせ框１１ｃの屋外側面に固定された前記加熱発泡材４９ａの上端部とが、少なくとも一方の加熱発泡材４９（４９ａ）が発泡した際に消滅する（塞がれる）程度の大きさの隙間（上下方向隙間）を介して近接した位置に配置されていると共に、上下方向に関して重畳する位置に配置されている。
【００４６】
又、同様に、前記風止め板１３の下面に固定された加熱発泡材４９、４９のうち、前記窓枠２ａの幅方向に関して中央に固定された加熱発泡材４９と、内障子である前記ガラス障子３ｃを構成する前記上框９ｃの屋外側に固定された加熱発泡材４９ｂの前記召し合わせ框１１ｃ側の端部、及び、外障子である前記ガラス障子３ｄを構成する前記上框９ｄの屋内側に固定された加熱発泡材４９ｂの前記召し合わせ框１１ｄ側の端部とが、少なくとも一方の加熱発泡材４９（４９ｂ、４９ｂ）が発泡した際に消滅する（塞がれる）程度の大きさの隙間（上下方向隙間）を介して近接した位置に配置されていると共に、それぞれ上下方向に関して重畳する位置に配置されている。
【００４７】
又、前記内障子である前記ガラス障子３ｃを構成する前記上框９ｃの屋外側に固定された加熱発泡材４９ｂと、前記風止め板１３の下面に固定された加熱発泡材４９、４９のうち、前記窓枠２ａの幅方向に関して片方の竪枠６ａ側に固定された片方の加熱発泡材４９とが、少なくとも一方の加熱発泡材４９（４９ｂ）が発泡した際に消滅する（塞がれる）程度の大きさの隙間（上下方向隙間）を介して近接した位置に配置されていると共に、上下方向に関して重畳している。又、前記外障子である前記ガラス障子３ｄを構成する前記上框９ｄの屋内側に固定された加熱発泡材４９ｂと、前記風止め板１３の下面に固定された加熱発泡材４９、４９のうち、前記窓枠２ａの幅方向に関して他方の竪枠６ｂ側に固定された他方の加熱発泡材４９とが、少なくとも一方の加熱発泡材４９（４９ｂ）が発泡した際に消滅する（塞がれる）程度の大きさの隙間（上下方向隙間）を介して近接した位置に配置されていると共に、上下方向に関して重畳している。
【００４８】
又、図６に示した様に、前記風止め板１３ａの下面に固定された加熱発泡材４９、４９の屋内側端部は、前記内障子である前記ガラス障子３ｃを構成する前記上框９ｃの屋外側に固定された加熱発泡材４９ｂよりも屋内側に位置しており、前記風止め板１３ａの下面に固定された加熱発泡材４９、４９の屋外側端部は、前記外障子である前記ガラス障子３ｄを構成する前記上框９ｄの屋内側に固定された加熱発泡材４９ｂよりも屋外側に位置している。又、前記召し合わせ框１１ｃの屋外側面に固定された前記加熱発泡材４９ａは、屋内外方向に関して、前記上框９ｃの屋外側に固定された加熱発泡材４９ｂと前記上框９ｄの屋内側に固定された加熱発泡材４９ｂとの間部分に位置している。又、前記召し合わせ框１１ｃの屋外側面に固定された前記加熱発泡材４９ａの上端部と、前記上框９ｄの屋内側に固定された加熱発泡材４９ｂとの間部分には、少なくとも一方の加熱発泡材４９ａ（４９ｂ）が発泡した際に消滅する（塞がれる）程度の大きさの隙間（屋内外方向隙間）が設けられている。
尚、前記召し合わせ框１１ｃの屋外側面に固定された前記加熱発泡材４９ａの上端部と、前記上框９ｃの屋外側に固定された加熱発泡材４９ｂの前記召し合わせ框１１ｃ側の端部とは、前記窓枠２ａの幅方向に関して整合する位置に設けられていないが、少なくとも一方の加熱発泡材４９ａ（４９ｂ）が発泡した際に消滅する（塞がれる）程度の大きさの隙間を介して近接した位置に配置されている。
【００４９】
又、前記内障子である前記ガラス障子３ｃを構成する前記上框９ｃの屋内側に固定された加熱発泡材４９ｂのうち、前記窓枠２ａの幅方向に関して前記戸先框１２ｃ側の端部と、片方の竪枠６ａに固定された加熱発泡材４９ｃの上端部とは、少なくとも一方の加熱発泡材４９ｂ（４９ｃ）が発泡した際に消滅する（塞がれる）程度の大きさの隙間（幅方向隙間）を介して近接した位置に配置されている。同様に、前記外障子である前記ガラス障子３ｄを構成する前記上框９ｄの屋内側に固定された加熱発泡材４９ｂのうち、前記窓枠２ａの幅方向に関して前記戸先框１２ｄ側の端部と、他方の竪枠６ｂに固定された加熱発泡材４９ｃの上端部とは、少なくとも一方の加熱発泡材４９ｂ（４９ｃ）が発泡した際に消滅する（塞がれる）程度の大きさの隙間（幅方向隙間）を介して近接した位置に配置されている。
【００５０】
又、前記下枠５ａに固定された加熱発泡材４９ｄのうち、前記窓枠２ａの幅方向に関して中央側端部と、前記召し合わせ框１１ｃの屋外側面に固定された前記加熱発泡材４９ａの下端部とが、少なくとも一方の加熱発泡材４９ａ（４９ｄ）が発泡した際に消滅する（塞がれる）程度の大きさの隙間（上下方向隙間）を介して近接した位置に配置されていると共に、上下方向に関して重畳する位置に配置されている。又、前記下枠５ａに固定された加熱発泡材４９ｄのうち、前記窓枠２ａの幅方向に関して他方の竪枠６ｂ側の端部と、前記他方の竪枠６ｂに固定された加熱発泡材４９ｃの下端部とは、少なくとも一方の加熱発泡材４９ｃ（４９ｄ）が発泡した際に消滅する（塞がれる）程度の大きさの隙間（幅方向隙間）を介して近接した位置に配置されている。
又、前記下枠５ａに固定された加熱発泡材４９ｅのうち、前記窓枠２ａの幅方向に関して片方の竪枠６ａ側の端部と、前記片方の竪枠６ａに固定された加熱発泡材４９ｃの下端部とは、少なくとも一方の加熱発泡材４９ｃ（４９ｅ）が発泡した際に消滅する（塞がれる）程度の大きさの隙間（幅方向隙間）を介して近接した位置に配置されている。又、前記下枠５ａに固定された加熱発泡材４９ｅのうち、前記窓枠２ａの幅方向に関して中央側端部と、前記ガラス障子３ｃを構成する下框１０ｃの下辺に固定された加熱発泡材４９ｆのうち、前記窓枠２ａの幅方向に関して前記戸先框１２ｃ側の端部とは、少なくとも一方の加熱発泡材４９ｅ（４９ｆ）が発泡した際に消滅する（塞がれる）程度の大きさの隙間（屋内外方向隙間）を介して近接した位置に配置されている。更に、前記ガラス障子３ｃを構成する下框１０ｃの下辺に固定された加熱発泡材４９ｆのうち、前記窓枠２ａの幅方向に関して中央側端部と、前記召し合わせ框１１ｃの屋外側面に固定された前記加熱発泡材４９ａの下端部、及び、前記下枠５ａに固定された加熱発泡材４９ｄのうち、前記窓枠２ａの幅方向に関して中央側端部とはそれぞれ、少なくとも一方の加熱発泡材４９ａ（４９ｄ、４９ｆ）が発泡した際に消滅する（塞がれる）程度の大きさの隙間を介して近接した位置に配置されている。
【００５１】
以上の様な構成を有する本例の窓装置１ａの場合、通常時（火災が発生していない状態）では、前記両ガラス障子３ｃ、３ｄを閉鎖位置に移動させた状態で、前記上枠４ａの下面に設けられた前記風止め板１３ａが、この上枠４ａの下面と前記両召し合わせ框１１ｃ、１１ｄの上端面との間を塞ぎ、前記窓装置１ａの気密性を確保する事ができる。
そして、本例の窓装置１ａの場合には特に、火災が発生した場合にも、前記上枠４ａの下面と前記両召し合わせ框１１ｃ、１１ｄの上端面との間に隙間が生じる事を防止でき、防火性能の向上を図れる。
【００５２】
即ち、本例の場合には、火災発生時に、前記風止め板１３ａの下面に設けた前記各加熱発泡材４９、４９が発泡し、膨張する。これにより、前記上枠４ａの下面と前記両召し合わせ框１１ｃ、１１ｄの上端面との間の隙間を塞ぐ事ができる。特に本例の場合には、前記各加熱発泡材４９、４９を前記風止め板１３ａ（支持板部４２）の下面に設けており、これら各加熱発泡材４９、４９が下方から露出した状態になっている為、これら各加熱発泡材４９、４９に熱を早期に伝達する事ができる。この為、発泡（膨張）した加熱発泡材４９、４９により、前記風止め板１３ａ及びその上方に設けた前記各気密ブロック５７ａ、５７ｂの周囲を覆う事ができる。この為、これら風止め板１３ａ及び気密ブロック５７ａ、５７ｂを、熱から保護し、溶融しにくくする事ができる。
【００５３】
特に本例の場合には、前記各気密ブロック５７ａ、５７ｂとして、難燃材製のものを使用している為、発泡した加熱発泡材４９、４９の内部の隙間を物理的に埋めた状態にできる（芯部として機能させられる）。従って、発泡した前記各加熱発泡材４９、４９を炎が通過しにくくできる。又、上下方向に熱伸びする前記両召し合わせ框１１ｃ、１１ｄにより、火災発生時にも溶融しにくい前記各気密ブロック５７ａ、５７ｂを、前記上枠４ａの下面に押し付ける事ができる。この為、前記上枠４ａの下面と前記両召し合わせ框１１ｃ、１１ｄの上端面との間に隙間が生じる事を有効に防止する事もできる。
【００５４】
又、本例の場合には、前記風止め板１３ａの下面に対して前記各加熱発泡材４９、４９を屋内外方向に配置している為、これら各加熱発泡材４９、４９に、他の部材を介して熱が伝わる条件と、内障子である前記ガラス障子３ｃを構成する前記上框９ｃの屋外側に固定された加熱発泡材４９ｂ、及び、外障子である前記ガラス障子３ｄを構成する前記上框９ｄの屋内側に固定された加熱発泡材４９ｂ、並びに、内障子である前記ガラス障子３ｃを構成する召し合わせ框１１ｃの屋外側面に固定された加熱発泡材４９ａに、それぞれ熱が伝わる条件と、ほぼ同じにする事ができる。具体的には、前記風止め板１３ａの下面に設けられた前記各加熱発泡材４９、４９には、前記各上框９ｃ、９ｄに設けられた前記各加熱発泡材４９ｂ、４９ｂと同様に、前記各上部案内レール２７ａ、２７ｂを伝って熱を伝える事ができると共に、前記召し合わせ框１１ｃに設けられた前記加熱発泡材４９ａと同様に、前記各召し合わせ框１１ｃ、１１ｄを伝って熱を伝える事ができる。この為、前記各加熱発泡材４９、４９ａ、４９ｂが発泡するタイミングをほぼ同じにする事ができて、これら各加熱発泡材４９、４９ａ、４９ｂ同士を連続させる事ができる。従って、発泡のタイミングがずれる事により、前記各加熱発泡材４９、４９ａ、４９ｂ同士の間に炎を通過させる隙間が生じる事を有効に防止できる。
【００５５】
又、本例の場合には、火災発生時に、前記風止め板１３ａの下面に固定された加熱発泡材４９、４９のうち、前記窓枠２ａの幅方向に関して中央に固定された加熱発泡材４９と、前記召し合わせ框１１ｃの屋外側面に固定された前記加熱発泡材４９ａの上端部とを連続させる事ができると共に、前記中央に固定された加熱発泡材４９と、内障子である前記ガラス障子３ｃを構成する前記上框９ｃの屋外側に固定された加熱発泡材４９ｂ、及び、外障子である前記ガラス障子３ｄを構成する前記上框９ｄの屋内側に固定された加熱発泡材４９ｂとを、それぞれ連続させる事もできる。又、本例の場合には、前記上框９ｃの屋外側に固定された加熱発泡材４９ｂに対して、前記風止め板１３ａの下面に固定された加熱発泡材４９、４９のうち、前記窓枠２ａの幅方向に関して片方の竪枠６ａ側に固定された片方の加熱発泡材４９とを連続させる事もできる。又、前記上框９ｄの屋内側に固定された加熱発泡材４９ｂに対し、前記風止め板１３ａの下面に固定された加熱発泡材４９、４９のうち、前記窓枠２ａの幅方向に関して他方の竪枠６ｂ側に固定された他方の加熱発泡材４９を連続させる事もできる。この様に本例の場合には、前記各加熱発泡材４９、４９により、前記上枠４ａの下面と前記各召し合わせ框１１ｃ、１１ｄとの間の隙間を塞ぐだけでなく、前記両上框９ｃ、９ｄ間及び前記両召し合わせ框１１ｄ、１１ｄ間の防火ラインを連続させる事もできる。
【００５６】
更に、本例の場合には、火災発生時に、以下の防火ラインを連続させる事もできる。
前記上框９ｃの屋内側に固定された加熱発泡材４９ｂの前記戸先框１２ｃ側の端部と、片方の竪枠６ａに固定された加熱発泡材４９ｃの上端部とを連続させると共に、前記上框９ｄの屋内側に固定された加熱発泡材４９ｂの前記戸先框１２ｄ側の端部と、他方の竪枠６ｂに固定された加熱発泡材４９ｃの上端部とを連続させる。又、前記下枠５ａに固定された加熱発泡材４９ｄの中央側端部と、前記召し合わせ框１１ｃの屋外側面に固定された前記加熱発泡材４９ａの下端部とを連続させる。又、前記下枠５ａに固定された加熱発泡材４９ｄのうち、前記窓枠２ａの幅方向に関する他方の竪枠６ｂ側の端部と、前記他方の竪枠６ｂに固定された加熱発泡材４９ｃの下端部とを連続させる。又、前記下枠５ａに固定された加熱発泡材４９ｅのうち、前記窓枠２ａの幅方向に関する片方の竪枠６ａ側の端部と、前記片方の竪枠６ａに固定された加熱発泡材４９ｃの下端部とを連続させる。又、前記下枠５ａに固定された加熱発泡材４９ｅのうち、前記窓枠２ａの幅方向に関する中央側端部と、前記ガラス障子３ｃを構成する下框１０ｃの下辺に固定された加熱発泡材４９ｆのうち、前記窓枠２ａの幅方向に関して前記戸先框１２ｃ側の端部とを連続させる。又、前記ガラス障子３ｃを構成する下框１０ｃの下辺に固定された加熱発泡材４９ｆのうち、前記窓枠２ａの幅方向に関して中央側端部と、前記召し合わせ框１１ｃの屋外側面に固定された前記加熱発泡材４９ａの下端部、及び、前記下枠５ａに固定された加熱発泡材４９ｄのうち、前記窓枠２ａの幅方向に関して中央側端部とを連続させる。更に、前記両召し合わせ框１１ｃ、１１ｄの下端側には、加熱発泡材が支持された下部風止め板（図示省略）を前記下枠５ａに設けている。これにより、前記加熱発泡材４９ａの下端部と、前記加熱発泡材４９ｄのうち、前記窓枠２ａの幅方向に関して中央側端部と、前記加熱発泡材４９ｆのうち、前記窓枠２ａの幅方向に関して中央側端部とを、それぞれ連続させる。
【００５７】
更に、本例の場合には、前記各加熱発泡材４９、４９を前記風止め板１３ａの下面に設けている為、この風止め板１３ａに前記各加熱発泡材４９、４９が取り付けられているか否かを、目視により容易に確認できる。この為、前記各加熱発泡材４９、４９の取り付けミスを有効に防止できる。又、前記風止め板１３ａに対し、前記各加熱発泡材４９、４９を事後的に（後付で）取り付ける事もできる。
【００５８】
［実施の形態の第２例］
図１２〜１３は、本発明の実施の形態の第２例を示している。本例の特徴は、加熱発泡材４９、４９の一部の取付位置を、前述した実施の形態の第１例の場合とは変更した点にある。その他の部分の構成及び作用効果に就いては、前記実施の形態の第１例の場合と同じである為、重複する説明及び図示は省略し、以下、本例の特徴部分を中心に説明する。
【００５９】
即ち、本例の風止め板１３ｂの場合には、前記実施の形態の第１例で、支持板部４２の下面のうち、窓枠２ａの幅方向両側部分に設けていた１対の加熱発泡材４９、４９を、前記支持板部４２の下面には設けずに、この支持板部４２の両側に設けられた傾斜板部４３、４３の下面それぞれ設けている。この為に、本例の場合には、これら両傾斜板部４３、４３の下面に、屋内外方向に伸長した係止凹溝５０ａ、５０ａを形成し、これら各係止凹溝５０ａ、５０ａ内に、帯状（板状）の前記各加熱発泡材４９、４９を係止している。そして、この様に係止した状態で、前記各加熱発泡材４９、４９は、それぞれの下面を前記風止め板１３ｂを構成する固定片３９、３９側に傾けた状態となっている。又、本例の場合には、前記風止め板１３ｂを構成する気密部４１ａを、底部４７ｃと複数のヒレ部４８ｃ、４８ｃとを備えた１対の気密片４６ｃ、４６ｃから構成している。
【００６０】
以上の様な構成を有する本例の場合には、火災発生時に、前記各加熱発泡材４９、４９が発泡し膨張すると、これら各加熱発泡材４９、４９により、前記各固定片３９、３９の周囲を効果的に覆う事ができる。この為、前記風止め板１３ｂが、上枠４ａの下面から脱落する事を有効に防止し、前記各加熱発泡材４９、４９に所期の防炎作用を発揮させる事ができる。
その他の構成及び作用効果に就いては、前記実施の形態の第１例の場合と同様である。
【産業上の利用可能性】
【００６１】
上述した実施の形態の各例では、加熱発泡材を係止凹溝を利用して風止め板の下面に固定する場合に就いて説明したが、加熱発泡材の風止め板の下面に対する固定構造としては、例えばカシメやねじ、リベットなどを採用する事もできる。
【００６２】
又、本発明の対象となる窓装置は、窓障子を２枚だけ備えた構造に限定されず、少なくとも１対の窓障子を備えていれば、窓障子の数は特に限定されない。更に、上述した実施の形態の各例では、本発明を、１対の窓障子を窓枠内に水平移動自在に且つ引き違い式に建て込んだ、引違い式の窓装置に適用した場合に就いて説明したが、本発明は、この様な引き違い式の窓装置に限らず、窓枠内に建て込まれる１対の窓障子のうち、一方の窓障子が水平移動自在であり、他方の窓障子が水平移動不能である（窓枠に固定された）、片引き（内動、外動）式の窓装置に適用する事もできる。そして、この様な片引き式の窓装置に適用する場合には、風止め板を、水平移動自在に建て込まれた一方の窓障子を構成する召し合わせ框の上方に配置する。又、本発明に使用する風止め板の構造は、実施の形態の各例の構造に限定されず、従来から知られた各種構造を採用できる。
【符号の説明】
【００６３】
１、１ａ  窓装置（引戸装置）
２、２ａ  窓枠
３ａ、３ｂ、３ｃ、３ｄ  ガラス障子
４、４ａ  上枠
５、５ａ  下枠
６、６ａ  竪枠
７ａ、７ｂ、７ｃ、７ｄ  框枠体
８ａ、８ｂ、８ｃ、８ｄ    ガラスパネル
９ａ、９ｂ、９ｃ、９ｄ  上框
１０ａ、１０ｂ、１０ｃ、１０ｄ  下框
１１ａ、１１ｂ、１１ｃ、１１ｄ  召し合わせ框
１２ａ、１２ｂ、１２ｃ、１２ｄ  戸先框
１３、１３ａ、１３ｂ  風止め板
１４    召し合わせ気密材
１５ａ、１５ｂ  竪枠気密材
１６ａ、１６ｂ  下枠気密材
１８    スペーサ
１９ａ、１９ｂ  ガラス板
２０    中間層
２１    封着材
２２ａ〜２２ｄ  ガラス溝
２３    セッティングブロック
２４、２４ａ  溝底板
２５    スペーサブロック
２６ａ  屋外側シール材
２６ｂ  屋内側シール材
２７ａ、２７ｂ  上部案内レール
２８ａ、２８ｂ  ガイドブロック
２９ａ、２９ｂ  ガイド溝
３０ａ、３０ｂ    案内溝
３１ａ、３１ｂ  上框係止溝
３２ａ、３２ｂ  上框気密材
３３ａ、３３ｂ  下部案内レール
３４ａ、３４ｂ  戸車
３５ａ、３５ｂ  煙返し部
３６ａ、３６ｂ  竪枠係止溝
３７ａ、３７ｂ  下枠係止溝
３８    風止め板本体
３９    固定片
４０    基部
４１、４１ａ  気密部
４２    支持板部
４３    傾斜板部
４４    張出部
４５    通孔
４６ａ、４６ｂ、４６ｃ  気密片
４７ａ、４７ｂ  底部
４８ａ、４８ｂ  ヒレ部
４９、４９ａ〜４９ｆ  加熱発泡材
５０、５０ａ  係止凹溝
５１    固定用溝
５２    係止片
５３    凹溝
５４    係合溝
５５    ねじ孔
５６    固定用ねじ
５７ａ、５７ｂ  気密ブロック
【図１】
0006700076.tif 000002
【図２】
0006700076.tif 000003
【図３】
0006700076.tif 000004
【図４】
0006700076.tif 000005
【図５】
0006700076.tif 000006
【図６】
0006700076.tif 000007
【図７】
0006700076.tif 000008
【図８】
0006700076.tif 000009
【図９】
0006700076.tif 000010
【図１０】
0006700076.tif 000011
【図１１】
0006700076.tif 000012
【図１２】
0006700076.tif 000013
【図１３】
0006700076.tif 000014
【図１４】
0006700076.tif 000015